(57)【特許請求の範囲】
【請求項１】
撮像手段で撮像されているライブビュー画像を表示するとともに、前記ライブビュー画像に重畳して、焦点検出領域を示す第１の指標と、互いの表示位置の関係によって合焦度合いを示す第２の指標と第３の指標と、合焦位置を示す第４の指標とを含む表示アイテムを表示するように制御する表示制御手段と、
前記第１の指標の表示位置に基づく前記焦点検出領域についての合焦度合いに関する情報を取得する取得手段と、
前記取得手段で取得した前記合焦度合いに関する情報に基づき、前記表示アイテムを第１の表示形態で表示し、
特定の条件を満たしたことに応じて、前記表示アイテムを前記第１の表示形態から、前記第１の表示形態で表示している場合よりも前記焦点検出領域の前記ライブビュー画像を視認しやすい第２の表示形態に変化させるように制御する制御手段と、を有し、
前記第２の表示形態は、前記表示アイテムのうち前記第２の指標と前記第３の指標と前記第４の指標を前記第１の表示形態から変化させることなく前記ライブビュー画像に重畳して表示を継続する形態であることを特徴とする表示制御装置。
【請求項２】
前記第２の表示形態は、
前記第１の表示形態で表示した前記表示アイテムのうち前記第１の指標を、前記焦点検出領域において非表示とした表示形態であることを特徴とする請求項１に記載の表示制御装置。
【請求項３】
前記第２の表示形態は、
前記表示アイテムのうち前記第１の指標を、前記第１の表示形態で表示していた面積よりも小さい面積とした表示形態であることを特徴とする請求項１に記載の表示制御装置。
【請求項４】
前記第２の表示形態は、
前記表示アイテムのうち前記第１の指標を、点線で表示した表示形態であることを特徴とする請求項１または３に記載の表示制御装置。
【請求項５】
前記第２の表示形態は、
前記表示アイテムのうち前記第１の指標を、前記第１の表示形態よりも透過した表示形態であることを特徴とする請求項１、３、４のいずれか１項に記載の表示制御装置。
【請求項６】
前記第２の表示形態は、
前記表示アイテムのうち前記第１の指標を前記第１の表示形態のときとは異なる色で表示する表示形態であることを特徴とする請求項１、３乃至５のいずれか１項に記載の表示制御装置。
【請求項７】
前記第２の表示形態は、
前記表示アイテムのうち前記第１の指標を、前記焦点検出領域の外に表示した表示形態であることを特徴とする請求項２に記載の表示制御装置。
【請求項８】
前記制御手段は、
前記ライブビュー画像から撮像されている被写体を認識する認識手段を更に有し、
前記認識手段によって前記被写体を認識している場合は、
前記第１の表示形態では、前記表示アイテムに加えて、前記認識手段で認識した前記被写体を示す特定の指標を表示し、
特定の条件を満たしたとしても、前記第２の表示形態では、前記特定の指標の表示形態は変化させないようにすることを特徴とする請求項１乃至７のいずれか１項に記載の表示制御装置。
【請求項９】
前記表示アイテムは、
合焦していない場合に、複数の段階で合焦度合いを示すものであることを特徴とする請求項１乃至８のいずれか１項に記載の表示制御装置。
【請求項１０】
前記制御手段は、
前記表示アイテムを前記第１の表示形態から前記第２の表示形態へ変化させた後、
前記取得手段で取得した前記合焦度合いの所定の条件を満たす変化、もしくは、ユーザーによる特定の操作手段への操作のうち少なくとも一方があったことに応じて、前記表示アイテムの表示形態を前記第２の表示形態から前記第１の表示形態へ変化させることを特徴とする請求項１乃至９のいずれか１項に記載の表示制御装置。
【請求項１１】
前記特定の操作手段は、
測距位置の移動指示を行う操作部材、自動焦点調節を行うＡＦモードに設定されている際に用いる機能を有した押しボタン、タッチ操作可能なタッチ操作手段のうち少なくとも１つであることを特徴とする請求項１０に記載の表示制御装置。
【請求項１２】
前記特定の条件は、
前記表示アイテムを前記第１の表示形態で表示した後、前記取得手段で取得した前記合焦度合いが所定量以上の変化がない状態で所定時間経過したことに応じたものであることを特徴とする請求項１乃至１１のいずれか１項に記載の表示制御装置。
【請求項１３】
前記所定時間は、
前記取得手段が取得した前記合焦度合いが所定の度合い以上である場合は、第１の時間とし、
前記合焦度合いが前記所定の度合いよりも小さい場合は、前記第１の時間よりも長い第２の時間とすることを特徴とする請求項１２に記載の表示制御装置。
【請求項１４】
前記制御手段は、
ファインダーと、ファインダー内表示手段と、ファインダー外表示手段とを更に有し、
前記ファインダー内表示手段に前記ライブビュー画像を表示している場合は、ファインダー内表示手段に前記表示アイテムを表示し、
前記ファインダー外表示手段に前記ライブビュー画像を表示している場合は、ファインダー外表示手段に前記表示アイテムを表示することを特徴とする請求項１乃至１３のいずれか１項に記載の表示制御装置。
【請求項１５】
撮像手段で撮像されているライブビュー画像を表示するとともに、前記ライブビュー画像に重畳して、焦点検出領域を示す第１の指標と、互いの表示位置の関係によって合焦度合いを示す第２の指標と第３の指標と、合焦位置を示す第４の指標とを含む表示アイテムを表示するように制御する表示制御ステップと、
前記第１の指標の表示位置に基づく前記焦点検出領域についての合焦度合いに関する情報を取得する取得ステップと、
前記取得ステップで取得した前記合焦度合いに関する情報に基づき、前記表示アイテムを第１の表示形態で表示し、
特定の条件を満たしたことに応じて、前記表示アイテムを前記第１の表示形態から、前記第１の表示形態で表示している場合よりも前記焦点検出領域の前記ライブビュー画像を視認しやすい第２の表示形態に変化させるように制御する制御ステップと、を有し、
前記第２の表示形態は、前記表示アイテムのうち前記第２の指標と前記第３の指標と前記第４の指標を前記第１の表示形態から変化させることなく前記ライブビュー画像に重畳して表示を継続する形態であることを特徴とする表示制御装置の制御方法。
【請求項１６】
コンピュータを、請求項１乃至１４のいずれか１項に記載された表示制御装置の各手段として機能させるためのプログラム。
【請求項１７】
コンピュータを、請求項１乃至１４のいずれか１項に記載された表示制御装置の各手段として機能させるためのプログラムを格納したコンピュータが読み取り可能な記憶媒体。
【発明の詳細な説明】
【技術分野】
【０００１】
本発明は、フォーカス調整機構を有する表示制御装置に関し、特にフォーカスに関する表示制御に関するものである。
【背景技術】
【０００２】
近年、ユーザーがマニュアル操作でフォーカスを合わせようとしている場合に、ガイド表示なしに細かなフォーカス合わせが難しくなってきている。特許文献１には、マニュアル操作でフォーカスを合わせる際に、指定領域のピント・フォーカスに関するガイドを被写体に重畳して表示することが開示されている。フォーカス検出領域とフォーカス検出領域での合焦状態を示すガイドを表示することで、ユーザーがマニュアル操作でも、より細かなフォーカス調整を行いやすく、操作性を向上させている。
【先行技術文献】
【特許文献】
【０００３】
【特許文献１】特開２０１６−１９７１８０
【発明の概要】
【発明が解決しようとする課題】
【０００４】
しかし特許文献１では、マニュアル操作で合焦度合いを示す表示アイテムを表示するように設定していると、ユーザーがフォーカス調整を行っていない場合でも常にガイド表示が行われてしまう。被写体に重畳して表示されるため、フォーカス調整を行っていない場合に、ユーザーがガイド表示を邪魔に感じる可能性がある。
【０００５】
そこで本発明は、ユーザーが合焦度合いを示す表示アイテムを邪魔に感じることを低減することを目的とする。
【課題を解決するための手段】
【０００６】
上記目的を達成するために、本発明は、
撮像手段で撮像されているライブビュー画像を表示するとともに、前記ライブビュー画像に重畳して、焦点検出領域を示す第１の指標と、互いの表示位置の関係によって合焦度合いを示す第２の指標と第３の指標と、合焦位置を示す第４の指標とを含む表示アイテムを表示するように制御する表示制御手段と、
前記第１の指標の表示位置に基づく前記焦点検出領域についての合焦度合いに関する情報を取得する取得手段と、
前記取得手段で取得した前記合焦度合いに関する情報に基づき、前記表示アイテムを第１の表示形態で表示し、
特定の条件を満たしたことに応じて、前記表示アイテムを前記第１の表示形態から、前記第１の表示形態で表示している場合よりも前記焦点検出領域の前記ライブビュー画像を視認しやすい第２の表示形態に変化させるように制御する制御手段と、を有し、
前記第２の表示形態は、前記表示アイテムのうち前記第２の指標と前記第３の指標と前記第４の指標を前記第１の表示形態から変化させることなく前記ライブビュー画像に重畳して表示を継続する形態である。
【発明の効果】
【０００７】
本発明によれば、ユーザーが合焦度合いを示す表示アイテムを邪魔に感じることを低減できる。
【図面の簡単な説明】
【０００８】
【図１】本発明の実施形態である、デジタルカメラ１０の構成ブロック図である。
【図２】本発明の実施形態である、撮像素子１０２の受光面の説明図である。
【図３】本発明の実施形態である、フォーカスガイドの説明図である。
【図４】本発明の実施形態である、フォーカスガイド表示形態を切り替える制御処理のフローチャートである。
【図５】本発明の実施形態である、フォーカスガイドの表示例である。
【図６】本発明の実施形態である、フォーカスガイドの設定メニュー画面である。
【発明を実施するための形態】
【０００９】
以下、図面を参照して本発明の好適な実施形態を説明する。
【００１０】
図１に、本発明の表示制御装置の一例としてのデジタルカメラ１０のハードウェア構成の一例を示す。筺体１００は、デジタルカメラ１０の構成要素の多くを内包する外装である。各種の操作部や表示部１０７、外部出力部１２１は筺体１００の表面に露出している。
【００１１】
交換レンズ１０１は、複数のレンズ群からなる撮影レンズであり、フォーカスレンズ、ズームレンズ、シフトレンズを内部に備えるほか、絞りを含む。撮像素子１０２は、光電変換素子を有する画素が複数、二次元状に配列された構成を有する。
【００１２】
撮像素子１０２は、交換レンズ１０１により結像された被写体光学像を各画素で光電変換し、さらにＡ／Ｄ変換回路によってアナログ・デジタル変換して、画素単位の画像信号（ＲＡＷ画像データ）を出力する。本実施形態に用いる撮像素子１０２と、関連する測距部１０８の詳細は、図２とともに後述する。
【００１３】
ＮＤフィルタ１０３はレンズに備えられた絞りとは別に入射光量を調整するためにデジタルカメラ１０に設けられたものである。画像処理部１１８は、撮像素子１０２に起因するレベル差を補正する。例えば、ＯＢ領域（ｏｐｔｉｃａｌ  ｂｌａｃｋ領域）の画素を用いて、有効領域の画素のレベルを補正するほか、欠陥画素に対して周囲画素を用いた補正を行う。また、周辺光量落ちに対する補正、色補正、輪郭強調、ノイズ除去、ガンマ補正、ディベイヤー、圧縮などの各処理を行う。画像処理部１１８は、撮像素子１０２から入力されたＲＡＷ画像データに対して上記処理を行うと、その他の制御部へ補正した画像データを出力する。
【００１４】
記録媒体Ｉ／Ｆ部１０４は、記録媒体１０５とデジタルカメラ１０とのインターフェースであり、記録媒体１０５に対して、画像処理部１１８から入力された画像データの記録や記録した画像データの読み出しを制御する。記録媒体１０５は、撮影された映像あるいは画像データを記録するための半導体メモリ等で構成される記録媒体であり、記録媒体Ｉ／Ｆ部１０４による制御に応じて画像データの記録や記録された画像データの読み出しを実行する。記録媒体１０５は、着脱可能なメモリーカード等である。なお、内蔵の記録媒体でもよい。
【００１５】
ＧＰＵ１１５は、デジタルカメラの各種情報表示やメニュー画面をＶＲＡＭに描画するレンダリングエンジンである。文字列や図形の描画機能のほか、拡大縮小描画機能や、回転描画機能、レイヤ合成機能を備えている。ＶＲＡＭは透過度を表すアルファチャネルを備えており、ＶＲＡＭに描画された表示物を表示用Ｉ／Ｆ部１０６によって撮像画像や再生画像上にオンスクリーン表示することができる。
【００１６】
表示用Ｉ／Ｆ部１０６は、画像処理部１１８からの映像データ（撮影画像、再生画像）およびＧＰＵ１１５でＶＲＡＭに描画した表示物に対して、重畳合成およびリサイズ処理を行い、表示部１０７へ出力する（表示する）。拡大表示モードになっているときは、表示用Ｉ／Ｆ部１０６は映像データの部分領域に対して重畳合成およびリサイズ処理を行う。その結果、拡大表示モードでは、通常時よりも拡大された映像が表示部１０７に表示されるため、撮影者がマニュアルフォーカス（以下、ＭＦ）での焦点調整操作をより正確に行いやすくなる。
【００１７】
表示部１０７は、表示用Ｉ／Ｆ部１０６から出力された画像データを画角確認用に表示する筺体１００の側から視認可能なファインダー外表示部などの外部モニターや、ファインダー内表示部である。表示部１０７は、液晶ディスプレイや有機ＥＬディスプレイ（Ｏｒｇａｎｉｃ  Ｌｉｇｈｔ−Ｅｍｉｔｔｉｎｇ  Ｄｉｏｄｅ  Ｄｉｓｐｌａｙ）などで構成可能である。
【００１８】
本体マイコン１１９は、デジタルカメラ１０の全体の動作を制御する制御部であり、マイクロコンピュータなどで構成される。本体マイコン１１９は、少なくとも１つのプロセッサーまたは／および少なくとも１つの回路を有するＣＰＵ１１９ａ、ＲＯＭ１１９ｂ、ＲＡＭ１１９ｃを備える。ＣＰＵ１１９ａは、ＲＯＭ１１９ｂに記憶されたプログラムを、ＲＡＭ１１９ｃに展開して実行することにより、後述の各種フローチャートの動作を実行する。
【００１９】
以下に説明するゲイン制御部１０９、シャッター制御部１１０、ＮＤ制御部１１１および絞り制御部１１２は、いずれも露出制御のためのブロックである。これらは、それぞれ画像処理部１１８の出力した画像データの輝度レベルを本体マイコン１１９で算出した結果に基づいて、あるいは撮影者がマニュアル設定した動作パラメータに基づいて、本体マイコン１１９によって制御される。ゲイン制御部１０９は、撮像素子１０２のゲインを制御する。
【００２０】
シャッター制御部１１０は、撮像素子１０２のシャッタースピードを制御する。
【００２１】
ＮＤ制御部１１１は、ＮＤフィルタ１０３を介して撮像素子１０２に入射する光量を制御する。
【００２２】
絞り制御部１１２は、交換レンズ１０１の絞りを制御する。
【００２３】
フォーカス制御部１１３は、本体マイコン１１９で保持されるフォーカス駆動状態がＡＦ（オートフォーカス）かＭＦ（マニュアルフォーカス）かによって異なる動作を行う。ＡＦのときは、画像処理部１１８から出力された画像データを参照して本体マイコン１１９でフォーカスの合焦情報を算出し、それをもとにフォーカス制御部１１３が交換レンズ１０１内部のフォーカスレンズを制御する。あるいは、撮像面位相差検出によって測距部１０８から出力されたデフォーカス量を元にフォーカス制御部１１３が交換レンズ１０１内部のフォーカスレンズを制御する。すなわち、ＡＦのときは自動焦点調節を行うことができる。画像データの部分領域にＡＦ枠を設定し、ＡＦ枠内の被写体のみに基づいてフォーカス情報を算出することもできる。ＡＦは、本体マイコン１１９の振る舞いによって、さらに２つの動作モードを備えている。一つはワンショットＡＦモードであり、ワンショットＡＦキー１２９が押下されたときだけＡＦ制御を行い、合焦成功または合焦失敗が確定した後はフォーカス制御部１１３の制御を停止するモードである。もう一つはコンティニュアスＡＦモード（サーボＡＦ）であり、常にＡＦ制御を行うモードである。ただし、コンティニュアスＡＦモードであっても、ＡＦロックキー１３０の押下によってＡＦロック状態になっているときは、フォーカス制御部１１３の制御を停止する。２つのモードの切り替えはメニュー画面内の設定変更によって行う。ＭＦのときは、フォーカス制御部１１３はＡＦ制御を停止する。この場合、撮影者が交換レンズ１０１に組み込まれたフォーカスリング１３４を回転させることによって、任意のフォーカス調整を行うことができる。
【００２４】
防振制御部１１４は、画像処理部１１８から出力された画像データを参照して本体マイコン１１９で被写体の動きベクトルを算出し、算出した動きベクトルをもとに手ブレを相殺するように交換レンズ１０１内部のシフトレンズを制御する光学式防振処理を行う。あるいは、防振制御部１１４は手ブレによる像ブレを相殺する方向に動画の各フレームで画像を切り出す電子式防振処理を行う。
【００２５】
メモリＩ／Ｆ部１１６は、撮像素子１０２から出力された全画素分のＲＡＷ画像データをメモリ１１７に書き込み、また、メモリ１１７に保持されたＲＡＷ画像データを読み出して画像処理部１１８に出力する。メモリ１１７は、数フレームの全画素分のＲＡＷ画像データを格納する揮発性の記憶媒体である。
【００２６】
画像処理部１１８は、メモリＩ／Ｆ部１１６から送られた全画素分のＲＡＷ画像データに対し、制御に必要な画像処理を行う。外部出力用Ｉ／Ｆ部１２０は、画像処理部１１８からの映像データにリサイズ処理を行う。また、外部出力部１２１の規格に適した信号変換および制御信号の付与を行い、外部出力部１２１へ出力する。外部出力部１２１は、映像データを外部出力する端子であり、例えばＳＤＩ（Ｓｅｒｉａｌ  Ｄｉｇｉｔａｌ  Ｉｎｔｅｒｆａｃｅ）端子やＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子である。外部機器であるモニターディスプレイや、外部記録装置が接続可能である。
【００２７】
外部操作用Ｉ／Ｆ部１２２は、外部操作部１２３による制御指示を受信し、本体マイコン１１９へ通知するインターフェースである。例えば、赤外線リモコン受光部や、無線ＬＡＮ（Ｌｏｃａｌ  Ａｒｅａ  Ｎｅｔｗｏｒｋ）インターフェースや、ＬＡＮＣ（登録商標）（Ｌｏｃａｌ  Ａｐｐｌｉｃａｔｉｏｎ  Ｃｏｎｔｒｏｌ  ｂｕｓ  ｓｙｓｔｅｍ）が相当する。外部操作部１２３は、外部操作用Ｉ／Ｆ部１２２に対して制御指示（制御コマンド）を送信する。筺体１００や交換レンズ１０１に組み込まれたメニューキー１２４〜ＡＦ／ＭＦスイッチ１３５の各部の操作に相当する指示（コマンド）を送信することができるほか、表示部１０７で表示するメニュー画面における設定変更情報を送信することができる。
【００２８】
メニューキー１２４〜ＡＦ／ＭＦスイッチ１３５は操作部であり、キー（ボタン）やダイヤル、タクトスイッチ、リング、タッチパネル等の部材からなる。いずれも撮影者の操作を受けつけ、本体マイコン１１９に対して制御指示を通知する役割を担っている。メニューキー１２４〜ＳＴＡＲＴ／ＳＴＯＰキー１３３は筺体１００に組みつけられている本体側の操作部である。フォーカスリング１３４とＡＦ／ＭＦスイッチ１３５は、交換レンズ１０１に組みつけられているレンズ側の操作部である。これらの操作部の一部は、メニュー画面内の設定によって、キーの役割を交換したり、別の機能にアサインしたりすることも可能である。メニューキー１２４は、表示部１０７にメニュー画面を表示する指示、あるいはすでに開いているメニュー画面を閉じる指示を行う。十字キー１２５およびダイヤル１２６は、どちらもメニュー画面内で項目を選択するためのカーソルを移動したり、フォーカスに関する枠表示を撮影者の望む方向へ移動したりする移動指示を行う。十字キー１２５は、上キー、下キー、左キー、右キーよりなる方向キーであり、それぞれ別体の操作部材であってもいいし、同一の操作部材として構成して押下する位置に応じて上下左右の何れか指示が行えるように構成しても良い。ダイヤル１２６は、時計回りの操作と反時計回りの操作が行える回転操作部材である。ＳＥＴキー１２７は、メニュー画面内でカーソルの当たっている項目を選択したり、各種の設定操作を確定したりする指示を行う。
【００２９】
キャンセルキー１２８は、メニュー画面で深い階層の選択を行っているときにひとつ前の階層へ戻ったり、各種の設定操作を破棄したりする指示を行う。ワンショットＡＦキー１２９は、ＡＦモードがワンショットＡＦであるときに、フォーカス制御部１１３によってＡＦを駆動する指示を行う。ＡＦロックキー１３０は、ＡＦモードがコンティニュアスＡＦであるときに、フォーカス制御部１１３による制御を停止させる停止指示、制御停止状態を解除する解除指示を行う。拡大キー１３１は、表示部１０７に表示される映像を拡大したり元に戻したりする指示を行う。ＤＩＳＰＬＡＹキー１３２は、本体マイコン１１９で保持されるＤｉｓｐレベルを変更する指示を行う。選択されたＤｉｓｐレベルに基づいて、表示部１０７に表示される各種情報表示が制限され、より詳細な情報を表示したり、映像をよりクリアに表示したりすることができる。ＳＴＡＲＴ／ＳＴＯＰキー１３３は、記録媒体Ｉ／Ｆ部１０４による記録の開始と停止の指示を行う。フォーカスリング１３４は、フォーカス駆動状態がＭＦであるときに、交換レンズ１０１内のフォーカスレンズを移動し、フォーカス調整を行うことができる。ＡＦ／ＭＦスイッチ１３５は、フォーカス駆動状態、すなわちＡＦとＭＦを相互に切り替える指示を行う。
【００３０】
図２は、画像センサーとしての撮像素子１０２の受光面の一部を示している。
【００３１】
撮像素子１０２は、撮像面位相差ＡＦを可能にするために、一つのマイクロレンズに対して光電変換手段として受光部であるフォトダイオードを２つ保持している画素部をアレイ状に並べている。これにより、各画素部で、交換レンズ１０１の射出瞳を分割した光束を受光することが可能になっている。
【００３２】
図２（Ａ）は、参考として、赤（Ｒ）、青（Ｂ）、緑（Ｇｂ、Ｇｒ）のベイヤー配列例の画像センサー表面の一部の模式図である。図２（Ｂ）は、図２（Ａ）のカラーフィルターの配列に対応させて、一つのマイクロレンズに対して光電変換手段としてのフォトダイオードを２つ保持している画素部例である。
【００３３】
こうした構成を有する画像センサーは、各画素部から位相差検出用の２つの信号（以下、Ａ像信号、Ｂ像信号ともいう。）を出力できるようになっている。また、２つのフォトダイオードの信号を加算した撮像の記録用の信号（Ａ像信号＋Ｂ像信号）も出力できるようになっている。この加算した信号の場合には、図２（Ａ）で概略説明したベイヤー配列例の画像センサーの出力と同等の信号が出力される。
【００３４】
このような画像センサーとしての撮像素子１０２からの出力信号を使って、測距部１０８が２つの像信号の相関演算を行い、デフォーカス量や各種信頼性などの情報を算出する。デフォーカス量は、Ａ像信号、Ｂ像信号のズレに基づき、像面でのデフォーカス量を算出する。デフォーカス量は正負の値を持っており、デフォーカス量が正の値であるか負の値であるかによって、前ピンか後ピンかがわかる。また、デフォーカス量の絶対値によって、合焦までの度合いが分かり、デフォーカス量が０であれば合焦である。すなわち、測距部１０８は、測距位置（測距領域、焦点検出位置、焦点検出領域）について算出したデフォーカス量の正負を元に前ピンか後ピンかの情報をＣＰＵ１１９ａなどに出力する。また、デフォーカス量の絶対値に基づいて、合焦の度合い（ピントのズレの度合い）である合焦度合い情報をＣＰＵ１１９ａなどに出力する。前ピンか後ピンかの情報は、デフォーカス量が所定値を超える場合に出力し、デフォーカス量の絶対値が所定値以内である場合には、合焦であるという情報を出力する。なお、合焦度合い情報は、デフォーカス量を、合焦させるまでにフォーカスリング１３４を回転させる操作量に換算した値として出力する。
【００３５】
なお、本実施形態は撮像用の信号及び位相差検出用の２つの信号の２つの計３つの信号を撮像素子１０２から出力している。この点、このような方法に限定されない。例えば、撮像用の信号と位相差ＡＦ用の像信号の２つの信号のうちの１つの計２つ信号を出力するようにしてもよい。この場合、出力後に位相差検出用の像信号の２つの信号のうちの他の１つの信号は、撮像素子１０２からの２つの出力信号を利用して算出される。
【００３６】
また、図２では、一つのマイクロレンズに対して光電変換手段としてのフォトダイオードを２つ保持している画素部をアレイ状に並べている例を示した。この点、一つのマイクロレンズに対して光電変換手段としてのフォトダイオードを３つ以上保持している画素部をアレイ状に並べているようにしてもよい。また、マイクロレンズに対して受光部の開口位置が異なる画素部を複数有するようにしてもよい。つまり、結果としてＡ像信号とＢ像信号といった位相差検出可能な位相差検出用の２つの信号が得られるようになっていれば足りる。
【００３７】
本実施形態では、ユーザーがデジタルカメラ１０を用いて被写体にフォーカスを合わせる際に、フォーカスの合焦位置や合焦度合いをフォーカスガイド（表示アイテム）として表示することで、ユーザーが所望の被写体にフォーカスを合わせやすくする。具体的には、測距位置（焦点検出位置）の被写体に合焦させるまでに、フォーカスリング１３４をどちら側にどの程度操作すれば良いかを視認しやすく示している。すなわち、フォーカスガイドは、測距位置の被写体の合焦度合いを示す表示インジケーターである。フォーカスガイドを表示することで、ユーザーは測距位置の被写体に合焦させた場合の焦点距離と現在の焦点距離のずれを視認することができる。
【００３８】
フォーカスガイドは、ライブビュー画像（以下ＬＶ画像）上にフォーカスガイドの表示要素のうち、枠３００が重畳表示された位置（枠内）に対応する撮像範囲から取得されたデフォーカス量に基づいた表示を行う。具体的には、フォーカスガイドはデフォーカス量を取得可能な画素（撮像面位相差検出の可能な画素）のうち、枠３００の位置に対応する範囲内の画素群からの出力値に基づいて算出されたデフォーカス量に基づいて、合焦度合いを示す。すなわちフォーカスガイドは、ライブビュー上で枠３００が重畳表示された位置の被写体について、フォーカスの合焦度合いを指標や色などの情報で表示する。本実施形態では、フォーカスの合焦度合いについて、図３の指標３０１〜３１１により合焦度合いを表現する。なお、指標３０１〜３１１は図３（ａ）〜（ｄ）に示す点線の円に沿って動くようにする。
【００３９】
図３（ａ）では、枠３００の上部に配置される指標３０１と指標３０２の位置が一致している。これは合焦状態（焦点検出領域の被写体に合焦している状態）を示しており、後述する指標３０４と指標３０５とが重なりあって一体化し、さらに指標３０３と隣接した位置（指標３０３が示す位置）に表示されている。指標３０１と指標３０２とが一致することで、枠３００が表示されている位置で合焦していることを示す。このとき、枠３００、指標３０１、指標３０２の表示色を、合焦していない場合とは異なる色で表示する。例えば、合焦していない場合は白色で表示し、図３（ａ）に示すような合焦状態になった場合は緑色で表示を行う。また、枠３００について、合焦していない場合は図３（ｂ）〜（ｄ）に示すように四隅のみの表示で合焦位置の被写体を視認できるようにし、合焦した場合は図３（ａ）に示すように実線で全周を囲う枠のように、閉区間で表示するように変化させる。ユーザーは所望の被写体が合焦したタイミングで撮影をしようとしている可能性が高い。そのため特に、合焦状態に遷移した場合にはユーザーが認識しやすいように表示色を変更したり、合焦位置を示す枠の表示形態を変更したりする。これによって、ユーザーは合焦状態になったことを視認しやすく、撮影タイミングを逃しにくい。枠３００は、ＬＶ画像上における測距位置に対応する領域を示している。
【００４０】
図３（ｂ）では、被写体が前ピン状態である場合のフォーカスガイドの表示形態を示す。指標３０３は合焦状態になるための指標３０４と指標３０５の目標地点を示す。指標３０４と指標３０５は、それぞれの表示距離によって、測距位置の合焦度合いを示す。ユーザーが交換レンズ１０１を操作したことによる焦点距離の変化や、被写体とデジタルカメラ１０の距離の変動により、合焦度合いが変化するため、指標３０４と指標３０５の距離（角度）が狭まったり広がったりする。指標３０４と指標３０５の距離（角度）は、合焦度合い情報に基づき、焦点距離領域において合焦からのズレが大きい場合に比べて小さい場合のほうが表示距離は小さく（狭く）なる。
【００４１】
図３（ｃ）では、被写体が後ピン状態である場合のフォーカスガイドの表示形態を示す。図３（ｂ）のフォーカスガイドの表示形態とは異なり、図３（ｂ）の指標３０４と指標３０５が一体化し図３（ｃ）の指標３０６となり、図３（ｂ）の指標３０３が図３（ｃ）の指標３０７と指標３０８となっている。
【００４２】
図３（ｂ）（ｃ）より、ユーザーはフォーカスガイドが重畳している被写体への合焦度合いが、前ピン状態なのか後ピン状態なのかを一目で視認することができる。指標３０４や指標３０５、指標３０７や指標３０８を合焦度合い情報に基づき表示距離を動的に変動させることで、ユーザーは、あとどれくらい合焦度合いを変化させれば合焦させることができるのかを、視覚的に認識することができる。そのため、例えばフォーカスリング１３４の操作量を大きくしたり小さくしたり、調整することができ、フォーカスガイドが表示されていないときよりも、より容易に調整を行うことができる。
【００４３】
図３（ｄ）では、被写体が大ボケ状態である場合のフォーカスガイドの表示形態を示す。指標３０９〜３１１は、指標３０１〜３０８とは異なり、四角形で表現されている。このとき、指標３０１〜３０８の表示色である白色ではなく、濃いグレーで表示する。このような表示により大ボケ状態であることを表し、合焦状態、前ピン状態、後ピン状態のいずれとも異なる、特に測距に失敗した状態であることを、ユーザーが視覚的に認識しやすいようにする。これによって、ユーザーは例えばフォーカスリング１３４の操作量を大きくする必要があることを認識できる可能性が高い。
【００４４】
図３（ｂ）〜（ｄ）に示すように、フォーカスガイドは合焦していない場合に、複数の段階で合焦度合いを示す。また、図３では指標３０１〜３１１は枠３００の上部に配置しているが、枠３００の下部に配置してもよい。
【００４５】
なお、本実施形態では、フォーカスガイドの表示形態について、図３（ａ）〜図３（ｄ）を用いて説明したが、これに限るものではない。また、フォーカスガイドは、撮像素子１０２から得られる信号（撮像面位相差信号）に基づくデフォーカス量に基づく合焦度合いを表示するものとして説明したが、これに限るものではない。撮像面とは異なる場所に設定された焦点検出センサ（位相差センサー等）からの出力値に基づいて合焦度合いを示すものでもよいし、コントラスト値に基づいて合焦度合いを示すものでも良い。
【００４６】
本実施形態では、デジタルカメラ１０におけるフォーカスガイドの表示形態の制御処理について説明する。図４は、デジタルカメラ１０において、ＣＰＵ１１９ａがＲＯＭ１１９ｂに記憶されたプログラムを実行することにより実現される。図４のフローチャートは、デジタルカメラ１０を撮影モードで起動し、撮影待機状態であるときに開始される。
【００４７】
Ｓ４０１では、ＣＰＵ１１９ａは、ＲＯＭ１１９ｂを参照し、フォーカスの設定がＭＦであるか否かを判定する。フォーカスの設定がＭＦである場合は、Ｓ４０２へ進み、そうでない場合はＳ４０１へ戻る。Ｓ４０２において後述するフォーカスガイドは、フォーカスの設定がＭＦの場合にのみ、表示することができるフォーカスアシスト機能の１つである。フォーカスの設定がＭＦであるとは、本実施形態では、交換レンズ１０１にあるレンズのフォーカスモードのスイッチをＭＦにすることで設定ができる。交換レンズ１０１のスイッチでなくても、設定メニュー画面でユーザーがＡＦ／ＭＦを選択できるような設定方法でもよい。
【００４８】
Ｓ４０２では、ＣＰＵ１１９ａは、ＲＯＭ１１９ｂを参照し、フォーカスガイドの設定が入であるか否かを判定する。フォーカスガイドの設定が入である場合は、Ｓ４０３へ進み、そうでない場合は、Ｓ４０１へ戻る。フォーカスガイドの設定が入でない場合、すなわち切である場合は、前述したフォーカスガイドは表示しない。フォーカスガイドの設定は、図６に示す、ＡＦ設定メニュー画面で設定することができる。項目６０１、項目６０２はフォーカスの設定をＭＦにした際に設定できる項目である。項目６０１は、合焦した被写体の輪郭を色付きの強調表示にすることで合焦させやすくすることができる、ＭＦピーキング設定である。図６では、ＭＦピーキング設定は切になっている。項目６０２は、現在のフォーカス位置から合焦位置への調整方向と調整量が、ガイド枠で視覚的に表示される、フォーカスガイド設定である。設定候補６０２ａを選択すると、フォーカスガイド設定が入になり、合焦しようとしている被写体位置にガイド枠と指標が表示される。設定候補６０２ｂを選択すると、フォーカスガイド設定が切になり、ユーザーがフォーカスリング１３４を操作したとしても、ガイド枠と指標は表示されない。図６では、フォーカスガイド設定は入になっている。フォーカスの設定がＭＦであるときにフォーカスガイドの設定が切である場合は、ユーザーは合焦している位置や合焦度合い（合焦状態）を自身の目で確認することで所望の被写体にフォーカスを合わせる。この場合、デジタルカメラ１０の操作やＭＦ設定に慣れているユーザーであれば、比較的簡単に所望の被写体に合焦させることができるだろう。しかし慣れていないユーザーにとっては、合焦させるまでに時間がかかってしまい、シャッターチャンスを逃す可能性が生じる。ＭＦのみで所望の被写体に合焦させたいユーザーや、ＡＦである程度大まかに合焦させた後に細かくＭＦで合焦させたい、と考えているユーザーにとっては、フォーカスガイドによって、より容易にＭＦで合焦させることができるようになる。
【００４９】
Ｓ４０３では、ＣＰＵ１１９ａは、ＲＡＭ１１９ｃが保持している情報を基に、ＧＰＵ１１５で描画するフォーカスガイドの枠表示位置、指標角度、表示色を決定する。具体的には、ＲＡＭ１１９ｃに保持された測距位置（焦点検出位置、枠３００によって示される位置）を読み出し、測距位置に対応する被写体について、合焦情報および測距成否の情報について、測距部１０８から取得する。合焦情報は、前述したように、デフォーカス量に基づいて算出された合焦状態、前ピン状態、後ピン状態のいずれであるかという情報と、合焦度合いの情報を含む。枠表示位置、指標角度、表示色は合焦情報に基づいて決定する。
【００５０】
Ｓ４０４では、ＣＰＵ１１９ａは、Ｓ４０３で決定した枠表示位置、指標角度、表示色に基づいてフォーカスガイドを表示部１０７に通常表示する。通常表示とは、図３に示すように枠３００、指標３０１〜３１１を合焦度合いに応じた表示で行うものを指す。枠３００の表示位置の被写体に対して合焦状態であれば、前述した図３（ａ）に示すようなフォーカスガイドを緑色で表示する。前ピン状態であれば図３（ｂ）のように、後ピン状態であれば図３（ｃ）のように表示し、合焦からのズレ量から指標の角度（距離）を動的に変動させる。大ボケ状態（測距が失敗した状態）であれば図３（ｄ）のように表示を行う。また、フォーカスガイドの表示を開始した時点からの時間の計測を開始する。後述する図５（ａ）にも、フォーカスガイドの通常の表示形態を示す。
【００５１】
Ｓ４０５では、ＣＰＵ１１９ａは、枠表示位置の被写体に対して合焦状態であるか非合焦状態であるかを判定する。合焦状態であれば、Ｓ４０６へ進み、非合焦状態であれば、Ｓ４０８へ進む。
【００５２】
Ｓ４０６では、ＣＰＵ１１９ａは、合焦度合いの変化がなかったか否かを判定する。変化がなかった場合（すなわち、合焦状態が継続している場合）は、Ｓ４０７へ進み、変化があった場合はＳ４０５へ戻る。Ｓ４０６において合焦度合いを判定し、Ｓ４０５において判定した合焦度合いと比較をして、合焦度合いの変化が所定量以上あったか否かの判定をする。合焦度合いの変化が所定量以上ないということは、ユーザーがフォーカスリング１３４を操作していない、もしくは、被写体とデジタルカメラ１０の距離が変化していないということである。このような場合、ユーザーはＳ４０５で判定した合焦／非合焦状態のいずれかに関わらず、合焦状態を変化させようとしていない、もしくは、被写体が止まっていることが想定できる。なお、合焦度合いの変化が所定量以上あった場合は、Ｓ４０４で開始した時間の計測をリセットする。
【００５３】
Ｓ４０７では、ＣＰＵ１１９ａは、Ｓ４０６において判定した、合焦度合いの変化のない状態が所定時間Ｔ１経過したか否かを判定する。所定時間Ｔ１経過した場合は、Ｓ４１１へ進み、そうでない場合はＳ４０６へ戻る。所定時間Ｔ１はＳ４０４においてフォーカスガイドの表示を開始した時点で計測を開始した時間である。合焦度合いの変化がない状態で、所定時間Ｔ１が経過したという条件を満たした場合に、Ｓ４１１において後述する、フォーカスガイドの表示形態の変化を行う。なお、所定時間Ｔ１は、Ｓ４１０において後述する所定時間Ｔ２よりも短い時間（Ｔ１＜Ｔ２）とする。
【００５４】
Ｓ４０８では、ＣＰＵ１１９ａは、合焦度合いがＺ１以上であるか否かを判定する。合焦度合いがＺ１以上である場合は、Ｓ４０６へ進み、そうでない場合はＳ４０９へ進む。合焦度合いは、ＲＡＭ１１９ｃに保持されている測距位置を読み出し、測距部１０８から取得できる、被写体に対する合焦状態の度合いを指す。合焦度合いが大きければ大きいほど合焦状態に近くなることを示す。すなわち、図３（ｂ）における指標３０４と指標３０５が、指標３０３に近くなることを示す。反対に合焦度合いが小さくなれば小さくなるほど合焦状態からかけ離れていることを示し、図３（ｂ）の指標３０４と指標３０５が大きく離れる。Ｓ４０５において非合焦状態であると判定されたとしても、合焦度合いが高い非合焦状態である場合も想定できる。本実施形態では、後述する図５（ａ）のような場合に、フォーカスガイドが被写体に重畳することで、ユーザーが被写体を観察する際にフォーカスガイドを邪魔に感じる可能性が高い。そのため合焦状態であれば、比較的短い時間でフォーカスガイドの表示を目立たなくすることで、ユーザーが被写体を視認しやすくする。詳細については、Ｓ４１１において後述する。合焦度合いが高い非合焦状態（ほぼ合焦状態）において、非合焦状態であるためにフォーカスガイドを表示し続けていると、非合焦状態ではあるがユーザーが被写体をよく観察したいと考えている場合には、ユーザーが使いづらく感じることが生じる。そのため、非合焦状態であっても、合焦度合いが高い（ほぼ合焦状態である）場合は、フォーカスガイドを目立たなくするための所定時間を合焦状態と同じ所定時間Ｔ１（Ｓ４０７において前述）とする。
【００５５】
Ｓ４０９では、Ｓ４０６と同様に、ＣＰＵ１１９ａは、合焦度合いの変化がなかったか否かを判定する。変化がなかった場合は、Ｓ４１０へ進み、変化があった場合はＳ４０５へ戻る。
【００５６】
Ｓ４１０では、ＣＰＵ１１９ａは、Ｓ４０９において判定した、合焦度合いの変化のない状態が所定時間Ｔ２経過したか否かを判定する。所定時間Ｔ２経過した場合は、Ｓ４１１へ進み、そうでない場合はＳ４０９へ戻る。合焦度合いの変化がない状態で、所定時間Ｔ２が経過したという条件を満たした場合に、Ｓ４１１において後述する、フォーカスガイドの表示形態の変化を行う。所定時間Ｔ２は、Ｓ４０８で述べた所定時間Ｔ１よりも長い時間（Ｔ１＜Ｔ２）とする。Ｓ４０５でＹｅｓと判定した場合、すなわち、枠３００の表示位置の被写体が合焦状態である場合、フォーカスガイドが被写体上に常に表示され続けていると、ユーザーが被写体を視認しにくい場合が生じる。また、Ｓ４０８でＹｅｓと判定した場合、すなわち、合焦度合いが高い（Ｚ１以上の）場合にも同様に、フォーカスガイドが邪魔に感じる可能性が生じる。そのため、合焦状態、もしくは合焦度合いが高い（Ｚ１以上の）場合は所定時間Ｔ１が経過したことに応じて、フォーカスガイドの表示形態を変化させる。これに対して、非合焦状態、かつ、合焦度合いが高くない（Ｚ１より小さい）場合には、ユーザーはフォーカスリング１３４を操作したり被写体とデジタルカメラ１０との距離を変化させたりするなどして、合焦させようと試みる可能性が高い。ほぼ合焦状態の場合は、前述したように短い時間Ｔ１でフォーカスガイドの表示形態を変化させてもユーザーが使いづらく感じる可能性は低い。一方で、非合焦状態の場合は、合焦状態と同じ時間Ｔ１でフォーカスガイドの表示が変化してしまうと、合焦していないにも関わらず合焦位置をはっきりと視認しにくくなるため使いづらく感じる可能性がある。そのため、非合焦状態でのフォーカスガイドの表示形態が変化する所定時間Ｔ２を、ほぼ合焦状態での所定時間Ｔ１よりも長く設定する。
【００５７】
Ｓ４１１では、ＣＰＵ１１９ａは、表示部１０７に表示したフォーカスガイドの表示形態を変化させる。すなわち、表示部１０７に表示したフォーカスガイドを通常表示から後述する簡易表示へと変化させる。Ｓ４０７、Ｓ４１０において述べたように、合焦度合いの変化がなくなってから所定時間が経過するという条件を満たした場合に、フォーカスガイドの表示形態を変化させる。具体的には、Ｓ４０４で表示した、ユーザーに合焦度合いを識別可能にするフォーカスガイドの表示（通常表示）を、ユーザーが被写体を確認する際に邪魔にならないような、目立ちにくい表示（簡易表示）に変化させる。フォーカスガイドの表示形態の変化例については、図５（ａ）〜（ｈ）において後述する。
【００５８】
Ｓ４１２では、ＣＰＵ１１９ａは、ユーザーによるＭＦ操作があったか否かを判定する。ＭＦ操作があった場合は、Ｓ４１３へ進み、なかった場合はＳ４１５へ進む。ＭＦ操作とは、ユーザーによるフォーカスリング１３４への操作によって、交換レンズ１０１内のレンズが操作されたことを指す。Ｓ４１２は、交換レンズ１０１からデジタルカメラ１０に、ユーザーによるフォーカスリング１３４への操作の有無に関する情報が伝達される場合に判定できるステップである。交換レンズ１０１からデジタルカメラ１０に、フォーカスリング１３４への操作の有無情報が伝達されない場合はＳ４１２の判定を行うことができないため、Ｓ４１２を無くしてＳ４１１からＳ４１３へと進んでもよい。また、デジタルカメラ１０の本体側の操作部（ボタンやタッチパネルなど）へのＭＦ操作に基づいてレンズ駆動してＭＦすることが可能な場合、本体側へのＭＦ操作があった場合にもＳ４１２はＹｅｓと判定する。
【００５９】
Ｓ４１３では、ＣＰＵ１１９ａは、合焦度合いの変化があったか否かを判定する。合焦度合いの変化があった場合は、Ｓ４１５へ進み、変化がなかった場合は、Ｓ４１４へ進む。Ｓ４１２でＮｏと判定された場合、すなわち、ＭＦ操作がなかったと判定されたことから、Ｓ４１３での合焦度合いの変化は、被写体が動いた、もしくは、ユーザーが動いたことによる、被写体とデジタルカメラ１０との距離が変化したことに起因すると想定される。ユーザーがＭＦ操作を行っていないことから、ユーザーの意図で合焦度合いが変化したわけではないため、Ｓ４０５で判定した合焦／非合焦状態にかかわらず、後述するＳ４１５で表示部１０７にフォーカスガイドを通常表示する。これにより、ユーザーが気づいていない間に合焦度合いが変化していたとしてもフォーカスガイドが表示されるため、ユーザーに通知することができる。ユーザーは意図しない合焦度合いの変化であれば、再度フォーカス調整を行うことができる。
【００６０】
Ｓ４１４では、ＣＰＵ１１９ａは、フォーカスガイドの通常表示指示があったか否かを判定する。通常表示指示があった場合にはＳ４１５に進み、なかった場合にはＳ４１６へ進む。フォーカスガイドの通常表示指示とは、具体的にはデジタルカメラ１０に搭載されているメニューキー１２４〜ＡＦ／ＭＦスイッチ１３５などの操作部への操作を指す。例えば、ワンショットＡＦキー１２９やＡＦロックキー１３０への押下や十字キー１２５やダイヤル１２６への操作が行われた場合は、Ｓ４１１において表示を簡易表示へと変化させたフォーカスガイドを、Ｓ４０４で表示したような通常表示に変化させる。ワンショットＡＦキー１２９やＡＦロックキー１３０は、ＭＦ操作中には押下があっても実行されない機能を持ったキーである。デジタルカメラ１０にライブビュー画像を表示する表示部とタッチ操作可能なタッチ操作部材が一体になっているものが搭載されている場合がある。この、タッチ操作可能なタッチ操作部材へのタッチ操作が行われた場合は、ユーザーがフォーカスガイドの表示形態が変化する前に表示されていた位置を忘れてしまったために、再度合焦位置と合焦状態を確認したいと考えていることが想定できる。ＬＶ画像に被写体が複数いた場合には、フォーカスガイドが表示されていた被写体とは別の被写体に合焦位置を変更したいと考えている可能性がある。また、十字キー１２５やダイヤル１２６を用いても、合焦位置を示すフォーカスガイドの表示位置を変更することができる。十字キー１２５やダイヤル１２６への操作が行われたことにより、ユーザーがフォーカスガイドを重畳表示する被写体を変更しようとしている可能性も考えられる。そのため、タッチ操作を含む操作部への操作が行われた場合にも、後述するＳ４１５でフォーカスガイドを通常表示へと変更する。
【００６１】
Ｓ４１５では、ＣＰＵ１１９ａは、Ｓ４０４と同様に、表示部１０７にフォーカスガイドを通常表示する。Ｓ４１２でＹｅｓと判定した場合、すなわち、ＭＦ操作があったことから、ユーザーがフォーカスリング１３４や本体側の操作部を操作して合焦度合いを変更しようとしていると想定できる。また、Ｓ４１３でＹｅｓと判定された場合は、ＭＦ操作がなくても合焦度合いが変化したことから、被写体とデジタルカメラ１０の距離が変化したことが想定できる。これらの理由から、合焦度合いが変化したことをユーザーに通知するために、Ｓ４１１で目立ちにくく表示形態を変化させたフォーカスガイドを、再度通常表示する。
【００６２】
Ｓ４１６では、ＣＰＵ１１９ａは、ユーザーによる撮影指示があったか否かを判定する。撮影指示があった場合は、Ｓ４１６へ進み、なかった場合はＳ４０１へ戻る。
【００６３】
Ｓ４１７では、ＣＰＵ１１９ａは、撮影を行う。表示部１０７にフォーカスガイドが表示されている場合は、フォーカスガイドが表示されている位置、特に枠３００の表示位置で、撮影指示があった時点での合焦状態で撮影を行う。Ｓ４１７での撮影とは、ＣＰＵ１１９ａは撮影指示により、撮影指示信号の読み出しから記録媒体１０５に画像データを書き込み、画像ファイルを作成する、一連の撮影処理の動作のことを指す。静止画の撮影と動画の撮影のいずれであってもよい。
【００６４】
Ｓ４１８では、ＣＰＵ１１９ａは、撮影待機状態が終了したか否かを判定する。撮影待機状態が終了した場合は、本制御フローを終了し、撮影待機状態が終了していない場合は、Ｓ４０１へ戻る。
【００６５】
図４のＳ４１１で述べた、フォーカスガイドの表示形態の変化例について、図５（ａ）〜（ｈ）を用いて説明する。図５（ａ）〜（ｈ）は、合焦状態のフォーカスガイドの表示例を示しているが、前ピン状態や後ピン状態についても、前ピン状態や後ピン状態を表しながら同様の表示を行うようにする。合焦状態のとき、Ｓ４１１では、通常表示されていたフォーカスガイドを図５（ｂ）〜（ｆ）、（ｈ）のいずれかの簡易的な表示形態に変化させる。
【００６６】
図５（ａ）はユーザーが合焦状態であることを識別可能な合焦状態のフォーカスガイドのＳ４０４、Ｓ４１５での通常表示の表示例である。一方、図５（ｂ）〜（ｆ）、（ｈ）は、図５（ａ）、（ｇ）に示す通常表示に対して、ユーザーが被写体の画像を確認しやすくするように簡易的に表示したフォーカスガイドの簡易表示の表示例である。
【００６７】
図５（ｂ）はＳ４１１で表示する簡易表示の表示例の１つであり、フォーカスガイドを図５（ａ）に示す枠３００、指標３０１、指標３０２から、図５（ｂ）の枠５００、指標５０１、指標５０２のように点線で表示するものに変化させる。フォーカスガイドを点線で表示することで、ユーザーが被写体を確認する際に邪魔にならず、かつ、枠表示位置の確認ができるため合焦している（もしくは合焦しようとしている）被写体を視認することができる。特に合焦状態においては、ユーザー所望の被写体に合焦している場合は、ユーザーは被写体の状態を確認してシャッターチャンスを待っている可能性が高い。例えば、被写体が図５のような人間であると、笑顔になったタイミングで撮影をしようとするような状況が考えられる。非合焦状態においても、画像全体の確認をしながら、合焦させる被写体を選んでいる可能性がある。このような場合にも、合焦度合いの変化がなく所定時間が経過したことに応じて、フォーカスガイドを点線のものに変化させることで、ユーザーが煩わしく感じることなく、撮影準備を行うことができる。また、フォーカスガイドを完全に非表示にするのではなく点線で表示することで、合焦位置と合焦位置の被写体をユーザーが引き続き視認することができる。なお、図５（ｂ）ではフォーカスガイドを点線で表示するとしたが、フォーカスガイドを通常表示しているときよりも合焦位置の被写体をユーザーが視認しやすくなるような表示形態の変化であれば点線に限らない。例えば、枠３００の表示の透過率をあげて半透過での表示やグレーのような目立ちにくい色での表示にしてもよい。図５（ａ）で示した枠３００よりも表示面積が小さくなるような表示形態でもよい。表示面積を小さくする例として、例えば、実線で表示していた枠３００を、図３（ｂ）〜（ｄ）に示したような四隅のみを表示にしてもよい。枠３００の表示形態を上述したような表示に変化させることで、撮像している被写体の、特に合焦位置の被写体がより視認しやすくなる。
【００６８】
図５（ｃ）はＳ４１１で表示する簡易表示の表示例の１つであり、指標３０１と指標３０２のみを残して枠３００を非表示にする。枠３００のみを非表示にし、指標３０１、指標３０２を残したとしても、指標３０１と指標３０２は枠３００と比較して小さな表示であるため、表示を継続したとしてもユーザーが邪魔だと感じる可能性は低い。また、枠３００を非表示にしたとしても、指標３０１と指標３０２は合焦している被写体位置に留まるため、たとえユーザーが合焦位置（被写体）を見失ってしまったとしても、指標３０１と指標３０２により完全に合焦位置（被写体）を見失うことはない。
【００６９】
図５（ｄ）はＳ４１１で表示する簡易表示の表示例の１つであり、指標３０１と指標３０２を引き続き表示し、枠３００に代わって指標５０３〜５０６を表示するように変化させる。指標５０３〜５０６は四角形で表される指標であり、枠３００が表示されていた位置を中心として十字を表すような配置とする。ＣＰＵ１１９ａが被写体を認識している場合は、指標５０３〜５０６は被写体に重畳しないように表示するようにする。なお、ＣＰＵ１１９ａが被写体を認識しているかいないかに関わらず、枠３００からの決まった距離に配置するようにしてもよい。これにより、図５（ｃ）のように枠３００を完全に非表示にしてしまう場合よりも、指標５０３〜５０６によって合焦位置（被写体）が視認しやすいため、より簡単に合焦位置（被写体）を認識することができる。
【００７０】
図５（ｅ）はＳ４１１で表示する簡易表示の表示例の１つであり、Ｓ４０４で表示したフォーカスガイドを非表示とする。所定時間が経過した後、合焦度合いが変化していない間はフォーカスガイドは表示されない。これにより、ユーザーは画像全体を認識しやすい。
【００７１】
図５（ｆ）はＳ４１１で表示する簡易表示の表示例の１つであり、枠３００を非表示にした代わりに指標５２０とし、指標３０１と指標３０２を合焦位置の下方向の画面端部（画面中央から所定範囲の外）に移動し、指標５２０、指標５２１とする。指標５２０は、上下に指標５２１と指標５２２の間に挟まれるような配置とし、横長の長方形の指標である。これにより、ユーザーはフォーカスガイドを煩わしく感じることなく被写体や画像全体の確認をすることができ、大まかな合焦位置（被写体）と合焦度合いを把握することができる。なお、図５（ｆ）では指標５２０、指標５２１、指標５２２は合焦位置の下方向の画面端部に表示したが、下方向ではなく横方向の画面端部に表示してもよい。横方向に指標５２０、指標５２１、指標５２２を表示したほうが、視線移動距離が少なく、被写体と合焦度合いを確認しやすい場合もある。例えば、ＣＰＵ１１９ａが、ＬＶ画像内に複数の被写体を認識し、かつ、縦方向に被写体が複数いる場合を考える。このような場合、図５（ｆ）に示した簡易表示のフォーカスガイドを、下方向ではなく横方向の画面端部に表示したほうが、合焦しようとしている被写体を視認しやすい。一方で、ＣＰＵ１１９ａが認識した被写体が、横方向に複数いる場合は、フォーカスガイドを縦方向の画面端部に表示したほうが視認しやすい。フォーカスガイドを下方向の画面端部に表示するか、横方向の画面端部に表示するかを、認識したＬＶ画像内の被写体の数や位置関係によってＣＰＵ１１９ａが判別して自動的に切り替える。これによって、ユーザーが視認しやすい方向の画像端部に表示するようにする。なお、フォーカスガイドを複数表示しているときは、フォーカスリング１３４を操作した際に合焦度合いが変更できる被写体のフォーカスガイドの色と、変更できない被写体のフォーカスガイドの色を異ならせると、ユーザーが認識しやすい。
【００７２】
図５（ｇ）、（ｈ）に、ＣＰＵ１１９ａが被写体の顔を認識し、顔検出枠が表示されている場合の、フォーカスガイドの表示形態の一例を示す。顔検出枠は、ＣＰＵ１１９ａが認識した被写体の大きさに応じて、枠の大きさを決定する。
【００７３】
図５（ｇ）は、ＣＰＵ１１９ａが被写体の顔を認識している場合のＳ４０４で表示する、フォーカスガイドの通常表示の表示例である。ＣＰＵ１１９ａが被写体の顔を認識している場合は、顔検出枠５０７と、合焦位置（被写体）に枠３００、指標３０１、指標３０２を表示する。顔検出枠５０７は被写体５１０が動いた場合には、被写体５１０の顔に追従して移動するようにする。また、枠３００、指標３０１、指標３０２についても、被写体５１０の顔に追従した顔検出枠５０７の移動に伴って移動する。すなわち、顔検出枠５０７と枠３００、指標３０１、指標３０２の相対的な位置関係は変化しないようにする。
【００７４】
図５（ｈ）は、図５（ｇ）に示すようなフォーカスガイドが表示されている状態から、Ｓ４１１において表示形態が変化したフォーカスガイドの表示例（簡易表示の表示例）を示す。顔検出枠５０７は引き続き表示する。枠３００を非表示にし、指標３０１と指標３０２は被写体には顔検出枠５０７内の例えば右上角（具体的には、顔検出枠５０７の内側で、かつ、顔検出枠５０７の中央から所定範囲よりも外）に指標５１１と指標５１２として表示する。枠３００を非表示にして顔検出枠５０７の表示を継続、指標３０１と指標３０２を指標５１１と指標５１２の位置に移動させることで、フォーカスガイドが被写体である顔の中心付近（重要部分）に重畳して表示されることがなくなる。これにより、ユーザーがフォーカスガイドを邪魔に感じることが低減できる。また顔検出枠である顔検出枠５０７を表示していることから、合焦位置を示す枠３００を表示せずとも、合焦している位置（被写体）が視認できる。図５（ｃ）（ｄ）と比べて、合焦している被写体が視認しやすいため、撮影を行う際に、より簡単にＭＦ操作でフォーカス調整を行うことができる。なお、図５（ｇ）で述べたように、被写体５１０の顔が動いた場合は顔検出枠５０７は追従して移動し、指標５１１と指標５１２についても図５（ｈ）に示すように顔検出枠５０７との位置関係を保ったまま移動する。なお、指標５１１、指標５１２は、顔検出枠５０７の外側であって、顔検出枠５０７の位置に追従する近傍位置、あるいは、顔検出枠５０７に追従しない所定位置に表示してもよい。
【００７５】
このように、図５（ｂ）〜（ｆ）、（ｈ）はいずれも、フォーカスガイドの表示形態を図５（ａ）、（ｇ）に示す通常表示から簡易表示へと変化させる。図５（ｃ）〜（ｆ）、（ｈ）は、図５（ａ）、（ｇ）での枠３００を、枠３００の表示位置である焦点検出領域のライブビュー画像（被写体画像）を視認しやすいように、焦点検出領域において非表示にする表示形態へと変化させる。同様に、図５（ｂ）は、図５（ａ）での枠３００よりも小さい面積である点線表示（枠５００）や四隅のみの枠表示、枠３００の透過表示へと表示形態を変化させる。これによって図５（ｂ）〜（ｆ）、（ｈ）のいずれの場合でも、表示形態を通常表示から簡易表示へと変化させることで、ユーザーは枠３００の表示位置である焦点検出領域のライブビュー画像（被写体）を視認しやすくなる。したがって、ユーザーは所望の被写体に合焦させやすく、フォーカス調整を行っていない場合はフォーカスガイドを邪魔に感じることなく所望の被写体を観察することができる。
【００７６】
図４の制御フロー処理を行う際に、外部モニターが接続されている場合には、Ｓ４０８、Ｓ４１０で述べたように所定時間経過ではなく、出力先に応じてフォーカスガイドの表示形態を変えるようにしてもよい。外部モニターが接続されている場合は、ユーザーは外部モニターでＬＶ画像や被写体のチェックを行っている可能性が高い。そのため、外部モニターが接続されている場合は、本体パネル表示やＥＶＦ出力では被写体に重畳してフォーカスガイドを表示し所定時間が経過しても表示形態は変化させないようにする。一方で、接続されている外部モニターでは、フォーカスガイドを図３（ａ）〜（ｄ）のように表示することなく、初めからフォーカスガイドを簡易表示の表示形態で表示するようにする。このように表示先に応じて表示形態を変化させることで、ユーザーが被写体をチェックしているであろう出力先上では、画質の確認や被写体のチェックがしやすくなり、ユーザーがフォーカスガイドを邪魔に感じることを低減できる。
【００７７】
また、図５（ｇ）、（ｈ）で述べた被写体認識を行ったものについては、顔検出枠５０７を表示して顔検出を行っている状態から顔検出ができなくなった場合には、フォーカスガイドの表示形態を変化させないようにしてもよい。このような場合、再度顔検出が開始されたら、図４の制御フローの処理を再開する。このようにすることで、例えば顔検出を行っている被写体とデジタルカメラ１０の間に、別の被写体が横切った場合に、フォーカスガイドの表示形態が変化してしまうと、ユーザーが煩わしく感じてしまうことを避けることができる。
【００７８】
上述した制御フローでは、ユーザーがファインダーに接眼しているか否かについては言及をしていないが、ユーザーがファインダーに接眼している場合でもしていない場合でも、上述した制御フローは実行することができる。すなわち、デジタルカメラ１０がファインダーを備えていた場合に、ユーザーがファインダーを覗いて撮影を行おうとしている際には、ファインダー内表示部にＬＶ画像を表示し、上述したフォーカスガイドを表示する。合焦度合いの変化がなく、所定時間が経過したことに応じて、ファインダー内表示部に表示したフォーカスガイドを目立ちにくくする。ユーザーがファインダーを覗かず、デジタルカメラ１０の筺体１００の側から視認可能な外部モニターにＬＶ画像を表示している場合は、ＬＶ画像が表示されている外部モニターにフォーカスガイドを表示する。ファインダー内表示部の場合と同様に、合焦度合いの変化がなく、所定時間が経過したことに応じて、外部モニターに表示したフォーカスガイドを目立ちにくくする。
【００７９】
なお、ＣＰＵ１１９ａが行うものとして説明した上述の各種制御は１つのハードウェアが行ってもよいし、複数のハードウェア（例えば、複数のプロセッサーや回路）が処理を分担することで、装置全体の制御を行ってもよい。
【００８０】
また、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００８１】
また、上述した実施形態においては、本発明をデジタルカメラに適用した場合を例にして説明したが、これはこの例に限定されず撮像手段で撮像された画像を表示可能な機器であれば適用可能である。すなわち、本発明はタブレットＰＣや携帯電話端末、ディスプレイを備える音楽プレーヤーやゲーム機などに適用可能である。
【００８２】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００８３】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0006882417.tif 000002
【図２】
0006882417.tif 000003
【図３】
0006882417.tif 000004
【図４】
0006882417.tif 000005
【図５】
0006882417.tif 000006
【図６】
0006882417.tif 000007